(57)【要約】【課題】同一のラジオ番組をＤＡＰ１１とマイクロコンポ１２との両方で予約録音する場合に、予約録音のセット作業を能率化する。【解決手段】ユーザはＤＡＰ１１において所望のラジオ番組のタイマ情報をセットする。マイクロコンポ１２は、ＵＳＢケーブル１７を介してＤＡＰ１１を接続されると（Ｓ５１正）、ラジオ番組の録音に係るタイマ情報がＤＡＰ１１にセットされているか否かを調べる（Ｓ５２，Ｓ５３）。セットされていれば、マイクロコンポ１２は、ＤＡＰ１１からタイマ情報を取得して（Ｓ５４）、自機にセットし（Ｓ５５）、タイマ情報の時刻になると（Ｓ５６正）、タイマ情報に従い、該当のラジオ番組を録音する（Ｓ５７）。【選択図】図５
2010170630.tif 000002
【特許請求の範囲】
【請求項１】
第１及び第２の録音装置から成る録音装置であって、
前記第１の録音装置は、
第１のチューナ、
ユーザインターフェース、
前記第１のチューナで受信する放送コンテンツについて、前記ユーザインターフェースを介して設定された記録予約情報を記憶する第１の記録予約情報記憶手段、及び
前記第１の記録予約情報記憶手段が記憶した記録予約情報に基づき、前記第１のチューナを制御して記録予約対象の放送コンテンツを自機の記憶装置に記録する第１の放送コンテンツ記録手段、
から成り、
前記第２の録音装置は、
第２のチューナ、
前記第２のチューナで受信する放送コンテンツについて記録予約情報を記憶する第２の記録予約情報記憶手段、及び
前記第２の記録予約情報記憶手段が記憶した記録予約情報に基づき、前記第２のチューナを制御して記録予約対象の放送コンテンツを自機の記憶装置に記録する第２の放送コンテンツ記録手段、
から成り、
前記第２の録音装置は、前記第１の録音装置との接続時に、前記第１の記録予約情報記憶手段に記憶されている未放送の放送コンテンツの記録予約情報を前記第２の記録予約情報記憶手段に取得することを特徴とする、コンテンツ処理システム。
【請求項２】
前記第２の録音装置が前記第２の記録予約情報記憶手段に前記第１の記録予約情報記憶手段から取得する前記未放送の放送コンテンツの記録予約情報は、前記第１の記録予約情報記憶手段に記憶されている記録予約情報の内、現時点以降で最初に放送開始される放送コンテンツの記録予約情報であることを特徴とする、請求項１記載のコンテンツ処理システム。
【請求項３】
前記第１の録音装置は、前記第１の記録予約情報記憶に記録された記録予約情報に基づき記録した放送コンテンツを、前記第２の録音装置において前記第１の記録予約情報記憶手段より取得した記録予約情報に基づいて記録した同一内容の放送コンテンツに置き換える置き換え手段を備えることを特徴とする、請求項１又は２記載のコンテンツ処理システム。
【請求項４】
前記第１の録音装置は、携帯型の録音装置であり、
前記第２の録音装置は、据え置き型の録音装置であることを特徴とする、請求項１〜３のいずれかに記載のコンテンツ処理システム。
【請求項５】
第１及び第２の録音装置をそれぞれ制御する第１及び第２の録音装置制御方法から成るコンテンツ処理システム制御方法であって、
前記第１の録音装置方法は、
第１の録音装置の第１のチューナで受信する放送コンテンツについて、第１の録音装置のユーザインターフェースを介して設定された記録予約情報を記憶する第１の記録予約情報記憶ステップ、及び
前記第１の記録予約情報記憶ステップにおいて記憶した記録予約情報に基づき、前記第１のチューナを制御して記録予約対象の放送コンテンツを自機の記憶装置に記録する第１の放送コンテンツ記録ステップ、
を備え、
前記第２の録音装置制御方法は、
前記第１の録音装置との接続時に、前記第１の録音装置制御方法における前記第１の記録予約情報記憶ステップにおいて記憶した未放送の放送コンテンツの記録予約情報を前記第１の録音装置から取得して自機に記憶する第２の記録予約情報記憶ステップ、及び
前記第２の記録予約情報記憶ステップにおいて記憶した記録予約情報に基づき、前記第２のチューナを制御して記録予約対象の放送コンテンツを自機の記憶装置に記録する第２の放送コンテンツ記録ステップ、
を備えることを特徴とするコンテンツ処理システム制御方法。
【請求項６】
請求項１〜４のいずれかに記載のコンテンツ処理システムの各手段としてコンピュータを機能させるプログラム。
【発明の詳細な説明】
【技術分野】
【０００１】
本発明は、放送コンテンツを記録するコンテンツ処理システム、方法及びプログラムに関する。
【背景技術】
【０００２】
特許文献１は、ミニコンポ等のオーディオ装置とパーソナルコンピュータ等の情報処理装置とをＲＳ２３２Ｃケーブルで相互に接続したオーディオタイマシステムを開示する（特許文献１の段落００１７，００１９，００２４及び図１）。該オーディオタイマシステムでは、ユーザは、パーソナルコンピュータのタイマ設定画面（特許文献１の図３）において、再生開始時刻、再生終了時刻、再生機器及び録音機器を指定する（特許文献１の段落００３４及び図２のＳ１０２）。
【０００３】
ユーザが指定したタイマー設定情報は情報処理装置において記憶され（特許文献１の図２のＳ１０４）、情報処理装置は、現在時刻を監視し、開始時刻や終了時刻になると（特許文献１の図４のＳ２０３，Ｓ２０６）、制御信号をオーディオ装置へ送る（特許文献１の図４のＳ２０４）。これに対し、オーディオ装置は、該制御信号を受けて、再生を開始したり、終了したりする（特許文献１の図６のＳ４０５，Ｓ４１０）。情報処理装置は、また、ユーザによるタイマー設定情報に録音が含まれる場合には、オーディオ装置への制御信号に録音開始信号を含ませ（特許文献１の図５のＳ３０４）、これに対し、オーディオ装置は、再生と共に録音も併せて実施するようになっている（特許文献１の図６のＳ４０７）。
【０００４】
ＤＡＰ（Digital Audio Player：デジタルオーディオ再生装置）には、ラジオチューナを装備して、ラジオ放送を受信して聴取できるとともに、ユーザが所望のラジオ番組をタイマ予約して、該ラジオ番組をその放送時間に録音できるようにしたものがある。このようなＤＡＰでは、そのユーザは、自分がタイマ予約したラジオ番組の放送時間の全体にわたり又は一部において受信環境の悪い場所に差し掛かり、録音品質が許容限度以下に悪くなってしまうことが起こり得る。これに対処するため、ユーザは、例えば自宅のチューナ付きオーディオコンポにも、ＤＡＰのタイマ予約と同一のタイマ予約を行っておき、ＤＡＰとオーディオコンポとの両方において同一のラジオ番組を録音している。
【先行技術文献】
【特許文献】
【０００５】
【特許文献１】特開２００２−２０８２６５号公報
【発明の概要】
【発明が解決しようとする課題】
【０００６】
ＤＡＰとオーディオコンポとの両方で同一のラジオ番組を録音する場合、ユーザはＤＡＰとオーディオコンポとの両方でほぼ同一のタイマ予約操作を行う必要があり、手間がかかる。
【０００７】
特許文献１のオーディオタイマシステムは、パソコン等の情報処理装置は、ミニコンポ等のオーディオ装置に所望のラジオ番組を録音させる場合、録音開始時刻の到来に伴い、オーディオ装置へ制御信号を送信する必要があり、オーディオ装置は、録音開始時には情報処理装置に接続されていなければならない。
【０００８】
本発明の目的は、複数の録音装置が記録予約対象の放送コンテンツの放送開始時に接続されていなければならない制約を排除しつつ、ユーザが複数の録音装置に対し同一の放送コンテンツについての記録予約を能率的に設定できるようにしたコンテンツ処理システム、方法及びプログラムを提供することである。
【課題を解決するための手段】
【０００９】
本発明によれば、複数（２以上）の録音装置に対し、それら録音装置が有線又は無線で相互に接続されている期間に、記録予約情報が、それを設定済みの録音装置から未設定の録音装置へ伝送されて、記憶される。各録音装置は、記憶中の記録予約情報に基づき自機のチューナを制御し、記録予約対象の放送コンテンツを各録音装置の記憶装置に記憶する。
【００１０】
典型的には、各録音装置は、記録予約対象の放送コンテンツを記録終了した後で、該放送コンテンツの記録品質が悪ければ、他の録音装置との次の接続時に、自機の該放送コンテンツを他の録音装置の良好な記録品質の放送コンテンツに置き換える。
【００１１】
本発明のコンテンツ処理システムは第１及び第２の録音装置から成る。前記第１の録音装置は次のものから成る。
第１のチューナ、
ユーザインターフェース、
前記第１のチューナで受信する放送コンテンツについて、前記ユーザインターフェースを介して設定された記録予約情報を記憶する第１の記録予約情報記憶手段、及び
前記第１の記録予約情報記憶手段が記憶した記録予約情報に基づき、前記第１のチューナを制御して記録予約対象の放送コンテンツを自機の記憶装置に記録する第１の放送コンテンツ記録手段。
【００１２】
前記第２の録音装置は次のものから成る。
第２のチューナ、
前記第２のチューナで受信する放送コンテンツについて記録予約情報を記憶する第２の記録予約情報記憶手段、及び
前記第２の記録予約情報記憶手段が記憶した記録予約情報に基づき、前記第２のチューナを制御して記録予約対象の放送コンテンツを自機の記憶装置に記録する第２の放送コンテンツ記録手段。
【００１３】
前記第２の録音装置は、前記第１の録音装置との接続時に、前記第１の記録予約情報記憶手段に記憶されている未放送の放送コンテンツの記録予約情報を前記第２の記録予約情報記憶手段に取得する。
【００１４】
本発明のコンテンツ処理システム制御方法は、第１及び第２の録音装置をそれぞれ制御する第１及び第２の録音装置制御方法から成る。第１の録音装置方法は次のステップを備える。
第１の録音装置の第１のチューナで受信する放送コンテンツについて、第１の録音装置のユーザインターフェースを介して設定された記録予約情報を記憶する第１の記録予約情報記憶ステップ、及び
前記第１の記録予約情報記憶ステップにおいて記憶した記録予約情報に基づき、前記第１のチューナを制御して記録予約対象の放送コンテンツを自機の記憶装置に記録する第１の放送コンテンツ記録ステップ。
【００１５】
前記第２の録音装置制御方法は次のステップを備える。
前記第１の録音装置との接続時に、前記第１の録音装置制御方法における前記第１の記録予約情報記憶ステップにおいて記憶した未放送の放送コンテンツの記録予約情報を前記第１の録音装置から取得して自機に記憶する第２の記録予約情報記憶ステップ、及び
前記第２の記録予約情報記憶ステップにおいて記憶した記録予約情報に基づき、前記第２のチューナを制御して記録予約対象の放送コンテンツを自機の記憶装置に記録する第２の放送コンテンツ記録ステップ。
【００１６】
本発明のプログラムはコンテンツ処理システムの各手段としてコンピュータを機能させる。
【発明の効果】
【００１７】
本発明によれば、第１及び第２の録音装置の相互の接続時に、第１の録音装置において設定して記憶してある放送コンテンツの記録予約情報が第２の録音装置へ送られてそれに記憶されるようになっているので、ユーザは、各録音装置に対し同一の放送コンテンツの記録予約を一々設定する手間を省かれる。また、第２の録音装置は、第１の録音装置から該記録予約情報を入手した後は、自機で、該記録予約情報に係る録音開始時刻の到来を判断して、録音対象の放送コンテンツを録音開始するようになっているので、該放送コンテンツの放送開始時刻に第１の録音装置に接続されていなければならない制約から解放される。
【図面の簡単な説明】
【００１８】
【図１】オーディオシステムの構成図である。
【図２】ＤＡＰの詳細な内部構成図である。
【図３】マイクロコンポの詳細な内部構成図である。
【図４】マイクロコンポにおいて実施されるラジオ放送録音方法のフローチャートである。
【図５】マイクロコンポにおいて実施される録音ファイル送信方法のフローチャートである。
【図６】マイクロコンポにおいて実施される録音品質検査付き録音ファイル送信方法のフローチャートである。
【図７】コンテンツ処理システムのブロック図である。
【図８】コンテンツ処理システム制御方法のフローチャートである。
【発明を実施するための形態】
【００１９】
図１において、オーディオシステム１０は、ユーザがそのポケット等に入れて携帯可能になっているＤＡＰ（Digital Audio Player：デジタルオーディオ再生装置）１１と、マイクロコンポ１２とを備える。マイクロコンポ１２は、本体１３と、本体１３の左右に配置されるスピーカ１４とを備える。ユーザは、ＤＡＰ１１内のオーディオファイルの楽曲をマイクロコンポ１２で再生しようとする時や、ＤＡＰ１１−マイクロコンポ１２間でオーディオファイルを転送する時等に、ＵＳＢケーブル１７を介してＤＡＰ１１を本体１３へ接続する。その際、後述するように、ユーザがＤＡＰ１１において設定したラジオ番組のタイマ予約情報がＵＳＢケーブル１７を介してＤＡＰ１１から本体１３へ伝送され、本体１３に記憶される。マイクロコンポ１２は、ＵＳＢのホスト機能を有するとともに、ＤＡＰ１１がＵＳＢケーブル１７を介して接続されている期間は、ＤＡＰ１１のメモリをＵＳＢマスストレージとして認識する。
【００２０】
図２はＤＡＰ１１の構成図であり、実線の接続線はオーディオ信号の流れを示し、破線の接続線はオーディオ信号以外の制御信号や情報信号の流れを示している。
【００２１】
外部入力端子２１は、例えば外付けマイクや他のオーディオ再生装置を接続され、それらからオーディオ信号を供給される。マイク２２は、採取した音に係るオーディオ信号を生成する。チューナ２３は、ＦＭやＡＭのラジオ放送のオーディオ信号をセレクタ２４へ出力する。セレクタ２４は、システムマイコン３６からの切替制御信号に基づき外部入力端子２１、マイク２２及びチューナ２３から１つを選択し、選択した入力をＡＤＣ（アナログ／デジタル変換器）２５へ出力する。ＡＤＣ２５は、アナログの入力信号をデジタルの出力信号に変換して、ＤＳＰ（Digital Signal Processor）２６へ供給する。
【００２２】
ＤＳＰ２６は、エンコーダ及びデコーダを実装し、エンコーダによりＡＤＣ２５からのオーディオ信号をＷＭＡやＭＰ３の圧縮形式で符号化し、オーディオファイルとして不揮発性の記憶部４０に格納する。ＤＳＰ２６は、また、記憶部４０のオーディオファイルのデータを読み出し、それをデコーダにより復号し、ＤＡＣ（デジタル／アナログ変換器）２７へ送る。
【００２３】
ＤＡＣ２７は、ＤＳＰ２６からのデジタルのオーディオ信号をアナログのオーディオ信号へ変換して出力し、増幅部２８はそれを増幅する。出力部２９は、左右のイヤホーンから成り、増幅部２８からのオーディオ信号を音に変換して、出力する。
【００２４】
システムマイコン３６は、セレクタ２４及びＤＳＰ２６へ切替等の指示を出すとともに、表示部３７へは表示部３７に表示させる情報の信号を出力する。操作部３８は、ユーザ操作に係る信号をシステムマイコン３６を出力する。外部Ｉ／Ｆ（インターフェース）３９は、ＵＳＢケーブル１７（図１）が接続され、システムマイコン３６とは制御データを送受し、記憶部４０とはオーディオデータを送受する。
【００２５】
図３は、マイクロコンポ１２の構成図であり、図２のＤＡＰ１１の構成要素と機能が同一である構成要素は、ＤＡＰ１１の構成要素と同じ符号で指示して、説明を省略する。相違点について説明する。
【００２６】
マイクロコンポ１２では、ＤＡＰ１１のマイク２２が省略される。マイクロコンポ１２は、また、ＣＤメカ部４４を備える。マイクロコンポ１２の出力部２９は、スピーカ１４（図１）から成る。マイクロコンポ１２の操作部３８は、本体１３に配備されるものの他に、リモコン（図示せず）に配備されるものも含む。
【００２７】
ＣＤメカ部４４は、ＣＤを挿抜自在に装填され、ＣＤから読み出したデジタルデータをＤＳＰ２６へ出力する。ＤＳＰ２６は、ＣＤの楽曲の再生期間では、ＣＤメカ部４４からのデータを復号して、ＤＡＣ２７へ出力し、ＣＤの楽曲データのコピー期間では、ＣＤメカ部４４からのＣＤデータをＷＭＡ等の規格のデータへ変換し、変換後のデータを格納したオーディオファイルを記憶部４０に記憶する。
【００２８】
ＤＡＰ１１及びマイクロコンポ１２において、ラジオ番組の録音についてタイマ予約が設定された場合には、タイマ予約の録音開始時刻が到来すると、ＤＡＰ１１及びマイクロコンポ１２が作動状態へ切り替えられるとともに、チューナ２３がタイマ予約対象のラジオ番組のラジオ放送局を選局し、該ラジオ番組のオーディオ信号が、セレクタ２４及びＡＤＣ２５を経てＤＳＰ２６へ送られる。ＤＳＰ２６は、エンコーダを使って、該オーディオ信号をＷＭＡやＭＰ３の圧縮形式で符号化してから、オーディオファイルとして記憶部４０に格納する。
【００２９】
図４のラジオ放送録音方法５０はマイクロコンポ１２において実施される。Ｓ５１では、ＤＡＰ１１が接続されたか否かを判定し、判定が正になりしだい、Ｓ５２へ進む。
【００３０】
Ｓ５２では、ＤＡＰ１１がタイマセットされているか否かを判定し、判定が正であれば、Ｓ５３へ進み、否であれば、ラジオ放送録音方法５０を終了する。タイマセットとは、所定の時刻に再生開始したり、再生終了したりする設定のことである。例えば、ユーザは、タイマセットによりチューナ２３や記憶部４０内の所定のオーディオファイルを所定時刻に再生開始させたり、所定の時刻に再生終了させたり、さらに、所定の時刻から再生開始して別の所定の時刻に再生終了させたりすることができる。
【００３１】
Ｓ５３では、タイマセットの内容はチューナ録音を含むか否かを判定し、判定が正であれば、Ｓ５４へ進み、否であれば、ラジオ放送録音方法５０を終了する。
【００３２】
ユーザは、ＤＡＰ１１に録音したいラジオ番組があると、その放送局、放送開始日時（"日時"の"時"は、時刻を意味し、通常は分の単位まで含む。）及び放送終了日時（放送開始日時からの録音時間で代替可）をＤＡＰ１１において設定する。これら設定値は、タイマセットの内容とされ、タイマ情報としてＤＡＰ１１の記憶部４０に記憶され、ＤＡＰ１１は、この記憶したタイマ情報に基づきＤＡＰ１１のチューナ２３を作動させて、録音対象のラジオ番組をＤＡＰ１１の記憶部４０に記憶する。ＤＡＰ１１の記憶部４０に、未放送のラジオ番組についてのタイマ情報が存在すると、Ｓ５２，Ｓ５３の判定はいずれも正となって、Ｓ５４へ進む。
【００３３】
Ｓ５４では、タイマ情報をＤＡＰ１１から取得する。該タイマ情報は、ＵＳＢケーブル１７を介してＤＡＰ１１からマイクロコンポ１２へ伝送される。Ｓ５５では、マイクロコンポ１２がＤＡＰ１１より取得したタイマ情報をマイクロコンポ１２の記憶部４０にセット（記憶）する。
【００３４】
Ｓ５６では、マイクロコンポ１２の記憶部４０にセットしてあるタイマ情報の録音開始時刻が到来したか否かを判定し、判定が正になりしだい、Ｓ５７へ進む。Ｓ５７では、該タイマ情報に基づき録音処理を行う。具体的には、マイクロコンポ１２のチューナ２３を作動させるとともに、該チューナ２３にタイマ情報のラジオ放送局を選局させ、チューナ２３の再生音を記憶部４０にＭＰ３やＷＭＡ等の圧縮ファイルで記憶する。
【００３５】
ラジオ放送録音方法５０により、マイクロコンポ１２は、ＤＡＰ１１を接続されると、ＤＡＰ１１のチューナ録音に係るタイマ情報を取得、記憶し、該タイマ情報に該当するラジオ番組を自機に録音する。一方、ＤＡＰ１１は、マイクロコンポ１２へ該タイマ情報を送信した後、マイクロコンポ１２から切り離されて、ユーザに携帯されて、マイクロコンポ１２とは別の場所へ移動する。そして、移動先において、タイマ情報の該当時刻が到来すると、ＤＡＰ１１では、該タイマ情報の該当ラジオ番組を録音する。なお、ＤＡＰ１１及びマイクロコンポ１２における録音とは、具体的には、オーディオ信号に係るＭＰ３等の録音ファイルを記憶部４０に生成することである。
【００３６】
こうして、ユーザは、録音を希望するラジオ番組のタイマ予約をＤＡＰ１１においてのみで行うだけで、マイクロコンポ１２での同一内容のタイマ予約の設定を省略することができる。また、同一のラジオ番組がＤＡＰ１１及びマイクロコンポ１２の両方で録音されて、ＤＡＰ１１及びマイクロコンポ１２の両方で録音ファイルが作成される。
【００３７】
図５の録音ファイル送信方法６０はマイクロコンポ１２において実施される。マイクロコンポ１２は、ラジオ放送録音方法５０（図４）のＳ５７において生成して自機の記憶部４０に記憶している録音ファイルを、録音ファイル送信方法６０の実施に伴い、ＤＡＰ１１の記憶部４０へ送信し、これに対し、ＤＡＰ１１は、マイクロコンポ１２から受信した該録音ファイルに、そのラジオ放送と重複して録音して自機の記憶部４０の記憶している録音ファイルを置き換える。
【００３８】
Ｓ６１では、ＤＡＰ１１が接続されたか否かを判定し、判定が正になりしだい、Ｓ６２へ進む。Ｓ６２では、マイクロコンポ１２が、ラジオ放送録音方法５０のＳ５４，Ｓ５５においてＤＡＰ１１から取得して記憶したタイマ情報に基づき録音したラジオ放送のデータが自機の記憶部４０に存在するか否かを判定し、判定が正であれば、Ｓ６３へ進み、否であれば、録音ファイル送信方法６０を終了する。
【００３９】
Ｓ６３では、Ｓ６２で存在すると判断したラジオ放送のデータ、すなわち重複録音のデータをＤＡＰ１１へ送信する。
【００４０】
図６の品質検査付き録音ファイル送信方法６５は録音ファイル送信方法６０に所定の処理を追加している。品質検査付き録音ファイル送信方法６５において、処理内容が録音ファイル送信方法６０のステップと同一であるステップは録音ファイル送信方法６０の対応ステップと同符号により指示して、説明は省略し、相違点についてのみ説明する。品質検査付き録音ファイル送信方法６５は、録音ファイル送信方法６０に対して、Ｓ６２とＳ６３との間にＳ６６，Ｓ６７が追加されている。
【００４１】
Ｓ６６では、ＤＡＰ１１とマイクロコンポ１２とで重複録音したラジオ放送、すなわちＳ６２でデータ有りと判定されたラジオ放送について、その録音品質を対比する。Ｓ６７では、Ｓ６６における録音品質の対比において、自機の方が良いものとなっているか否かを判定し、判定結果が正であれば、Ｓ６３へ進み、否であれば、Ｓ６５を終了する。
【００４２】
録音品質は受信電波の電界強度から検出することができる。録音期間のラジオ放送の受信電波の電界強度が高いほど、記録品質は高くなる。こうして、該ラジオ放送についてＤＡＰ１１における受信状況、すなわち録音状況が悪くても、該ラジオ放送についてのＤＡＰ１１の録音データが該ラジオ放送についてのマイクロコンポ１２の録音データに置き換えられるので、ＤＡＰ１１のユーザは該ラジオ放送の再生音を高品質で聞くことができる。
【００４３】
録音期間のどの時点（例：録音開始時点、録音終了時点又は録音中間点）の受信電界強度を対比するかは任意であるが、典型的には、同一のラジオ番組についてのＤＡＰ１１とマイクロコンポ１２との重複録音期間の最小電界強度同士を対比し、最小電界強度が大きい方が録音品質が高いと判定したり、録音開始時と録音終了時との２時点の電界強度の平均値を算出し、ＤＡＰ１１及びマイクロコンポ１２の平均値同士を対比し、大きい方が録音品質が高いと判定したりする。
【００４４】
マイクロコンポ１２は、ユーザによりラジオ放送の受信状態が良好となるように図示しないアンテナ等がチューナ２３に接続されており、かつ場所が固定されているので、ラジオ番組の録音品質はユーザが満足できるものになっている。これに対し、ＤＡＰ１１は、ユーザにより携帯されて、タイマ情報の録音時間では、ビルや電車の中などのラジオ放送電波の受信状況の悪い場所にいる可能性が高い。したがって、Ｓ６７では、通常は、自機（マイクロコンポ１２）の録音品質の方が高いと判定される。
【００４５】
図７において、コンテンツ処理システム６９は、相互に分離自在に接続される第１及び第２の録音装置７０，８５を備える。コンテンツ処理システム６９の具体例はオーディオシステム１０（図１）である。第１及び第２の録音装置７０，８５の具体例はそれぞれＤＡＰ１１（図２）及びマイクロコンポ１２（図３）である。第１の録音装置７０は、ＤＡＰ１１に代えて小型のオーディオセットであってもよく、第２の録音装置８５はミニコンポやマイクコンポであってもよい。さらに、第１の録音装置７０がマイクロコンポであって、第２の録音装置がＤＡＰ１１である場合や、第１及び第２の録音装置７０，８５が共にＤＡＰ１１である場合でもよい。第１及び第２の録音装置７０，８５は典型的には再生機能も装備する録再装置である。
【００４６】
第１及び第２の録音装置７０，８５は、また、典型的にはそれぞれ携帯型及び据置型であるが、それぞれ携帯型及び車載型である場合、それぞれ車載型及び据置型である場合、又は共に携帯型である場合もあるとする。また、コンテンツ処理システム６９は、１つの第１の録音装置７０に対して複数の第２の録音装置８５を含むこともできる。記録予約情報送信手段７５−第２の録音装置８５間の接続は、例えばＵＳＢケーブル１７等のケーブルであるが、ブルートゥース（Bluetooth）や無線ＬＡＮ等の近距離無線により行うこともできる。
【００４７】
第１及び第２の録音装置７０，８５は、例えば、ユーザが第１の録音装置７０の楽曲等のコンテンツを第２の録音装置８５で再生する場合に接続される。放送コンテンツについての記録予約情報や該記録予約情報に従って録音した放送コンテンツの伝送は、ユーザが、特に記録予約情報等を転送するために第１及び第２の録音装置７０，８５を相互に接続する場合だけでなく、ユーザが第１の録音装置７０のコンテンツを第２の録音装置８５で再生するために第１及び第２の録音装置７０，８５を相互に接続した場合を利用して行うことができる。
【００４８】
第１の録音装置７０は第１のチューナ７１、ユーザインターフェース７２、第１の記録予約情報記憶手段７３及び第１の放送コンテンツ記録手段７４を備えている。第１のチューナ７１の具体例はＤＡＰ１１のチューナ２３（図２）である。ユーザインターフェース７２の具体例はＤＡＰ１１の操作部３８（図２）である。ユーザインターフェース７２は、音声認識処理により音声による操作指示に対応するものであってもよい。
【００４９】
第１の記録予約情報記憶手段７３は、第１のチューナ７１で受信する放送コンテンツについて、ユーザインターフェース７２を介して設定された記録予約情報を記憶する。第１の放送コンテンツ記録手段７４は、第１の記録予約情報記憶手段７３が記憶した記録予約情報に基づき、第１のチューナ７１を制御して、記録予約対象の放送コンテンツを自機の記憶装置７６に記録する。
【００５０】
第２の録音装置８５は、第２のチューナ８６、第２の記録予約情報記憶手段８７及び第２の放送コンテンツ記録手段８８を含む。第２の記録予約情報記憶手段８７は、第２のチューナ８６で受信する放送コンテンツについて記録予約情報を記憶する。第２の放送コンテンツ記録手段８８は、第２の記録予約情報記憶手段８７が記憶した記録予約情報に基づき、第２のチューナ８６を制御して記録予約対象の放送コンテンツを自機の記憶装置７６に記録する。
【００５１】
第２の録音装置８５は、第１の録音装置７０との接続時に、第１の記録予約情報記憶手段７３に記憶されている未放送の放送コンテンツの記録予約情報を第２の記録予約情報記憶手段８７に取得する。
【００５２】
放送コンテンツは、少なくとも（ＦＭやＡＭの）ラジオ放送の放送コンテンツを含む。第１及び第２のチューナ７１，８６は典型的にはラジオチューナである。記録予約情報は、放送コンテンツについて、例えば、該放送コンテンツを放送する放送局（周波数やチャネルで代替可）、並びに該放送コンテンツの放送開始日時（"日時"の"時"は、時刻を意味し、通常は分の単位まで含む。）及び放送終了日時（放送終了日時は放送開始日時からの放送時間で代替可。）を含む。
【００５３】
第１の録音装置７０から第２の録音装置８５への記録予約情報の伝送は、典型的には、第２の録音装置８５が第１の録音装置７０へ伝送を指示し、第１の録音装置７０がこの伝送指示を受けて行うが、逆に、第１の録音装置７０が、第２の録音装置８５に対して記録予約情報の受信及び記憶の指示を出して、第２の録音装置８５が第１の録音装置７０からの記録予約情報の受信及び記憶を実施するようになっていてもよい。
【００５４】
第２の録音装置８５が第２の記録予約情報記憶手段８７に第１の記録予約情報記憶手段７３から取得する未放送の放送コンテンツの記録予約情報は、例えば、第１の記録予約情報記憶手段７３に記憶されている記録予約情報の内、現時点以降で最初に放送開始される放送コンテンツの記録予約情報とされる。
【００５５】
ユーザは、第１の録音装置７０に複数の放送コンテンツの記録を予約することがあり、その場合、第１の録音装置７０には、複数の記録予約情報が記憶されている。第２の録音装置８５は、複数の記録予約情報の内、現時点から最初に放送開始時刻、すなわち録音開始時刻が到来する放送コンテンツの記録予約情報だけを第１の録音装置７０から取り込むことにより、直近の放送コンテンツの録音に円滑に対処することができる。
【００５６】
第２の録音装置８５は、（ａ）第１の録音装置７０に設定してある記録予約情報の全部、（ｂ）第１の録音装置７０に設定してある記録予約情報の内、未取得のもののみ、（ｃ）現在から過去の所定期間（例：１日）内に第１の録音装置７０に設定された記録予約情報のみ、及び／又は（ｄ）現在から未来の所定期間（例：１日）内に放送開始時刻の到来する放送コンテンツについての記録予約情報のみを第１の録音装置７０から取り込んでもよい。
【００５７】
好ましくは、第１の録音装置７０は置き換え手段７８を備える。置き換え手段７８は、第１の記録予約情報記憶に記録された記録予約情報に基づき記録した放送コンテンツを、第２の録音装置８５において第１の記録予約情報記憶手段７３より取得した記録予約情報に基づいて記録した同一内容の放送コンテンツに置き換える。
【００５８】
置き換え手段７８による置き換えに先立ち、第１の録音装置７０が記録予約情報に基づき録音した放送コンテンツの記録品質と、第２の録音装置８５が第１の録音装置７０から取得した記録予約情報に基づき録音した放送コンテンツの記録品質とを対比して、後者の方が良い場合に限り、置き換えを実施するようにしてもよい。前者の方が良い場合には、第１の録音装置７０における置き換えは中止する。前者の方が良い場合には、第１の録音装置７０における置き換えを中止するだけでなく、重複記録の放送コンテンツについて、第２の録音装置８５におけるものを第１の録音装置７０におけるものに置き換えることもできる。
【００５９】
放送コンテンツの記録品質は、例えば第１の録音装置７０と第２の録音装置８５における対比対象放送コンテンツについての放送期間の受信電界強度から検出する。受信電界強度が高いほど、記録品質は高くなる。記録品質は、対比対象放送コンテンツについての放送期間の開始時点、終了時点、又は中間時点等、任意の時点であってよいが、好ましくは、該放送期間で測定された最小記録品質同士を対比する。
【００６０】
なお、第１及び第２の録音装置７０，８５の内のどちらかが何らかの理由（バッテリ切れや放送局の圏外へ移動）によりタイマ情報のラジオ番組の録音が実質的に行われない録音不実施が生じる。このような場合、録音不実施の方の録音装置における記録品質は、録音実施の方の録音装置の記録品質より当然に低くなり、又は低いとみなし、この対比に基づき置き換えを行ったり、中止したりする。
【００６１】
置き換え手段７８による第１の録音装置７０の放送コンテンツの置き換えは、第２の録音装置８５における記録品質が第１の録音装置７０における記録品質を上回る場合には、必ず実施することにしなくてもよい。例えば、放送コンテンツ送信手段９５は、第１の録音装置７０における記録品質が基準値以上である場合には、第２の録音装置８５の記録品質が第１の録音装置７０の記録品質より高くても、置き換え手段７８による置き換えを中止してもよい。
【００６２】
第１及び第２の録音装置７０，８５は、典型的には、それぞれ携帯型及び据置型であり、通常は、重複記録の放送コンテンツの記録品質は第２の録音装置８５の方が高いので、第２の録音装置８５は、記録品質を対比することなく、第１の録音装置７０と接続されたら直ちに、自機の記憶装置８９に記録されている該当の放送コンテンツを第１の録音装置７０へ送信してもよい。また、第２の録音装置８５から第１の録音装置７０への該当放送コンテンツの送信に先立ち、その許否を第１の録音装置７０又は第２の録音装置８５においてユーザに問い合わせ、ユーザが許可した場合に限り、該放送コンテンツを第１の録音装置７０へ送信するようにしてもよい。
【００６３】
図８のコンテンツ処理システム制御方法１０５は第１及び第２の録音装置制御方法１０６，１０７から成る。第１及び第２の録音装置制御方法１０６，１０７はそれぞれ第１及び第２の録音装置７０，８５に適用される。
【００６４】
第１の録音装置制御方法１０６において、Ｓ１１０では、第１の録音装置７０の第１のチューナ７１で受信する放送コンテンツについて、第１の録音装置７０のユーザインターフェース７２を介して設定された記録予約情報を記憶する。Ｓ１１２では、Ｓ１１１において記憶した記録予約情報に基づき、第１のチューナ７１を制御して、記録予約対象の放送コンテンツを自機の記憶装置７６に記録する。
【００６５】
第２の録音装置制御方法１０７において、Ｓ１２０では、自機が第１の録音装置７０に接続されているか否かを判定し、判定が正であれば、Ｓ１２１へ進み、否であれば、第２の録音装置制御方法１０７を終了する。Ｓ１２１では、Ｓ１１０において記憶した未放送の放送コンテンツの記録予約情報を自機に記憶する。
【００６６】
Ｓ１２２では、Ｓ１２１において記憶した記録予約情報に基づき、第２のチューナ８６を制御して記録予約対象の放送コンテンツを自機の記憶装置８９に記録する。
【００６７】
Ｓ１１０，Ｓ１１１，Ｓ１２２の処理は、第１の録音装置７０の第１の記録予約情報記憶手段７３及び第１の放送コンテンツ記録手段７４、並びに第２の録音装置８５の第２の放送コンテンツ記録手段８８の機能にそれぞれ対応している。また、Ｓ１２０，Ｓ１２１の処理は第２の録音装置８５の第２の記録予約情報記憶手段８７の機能に対応している。Ｓ１１０，Ｓ１１１，Ｓ１２０〜Ｓ１２３の具体的態様として、それらステップに対応する第１及び第２の録音装置７０，８５の手段について述べた具体的態様を適用することができる。
【００６８】
第１の録音装置制御方法１０６において、第１の録音装置７０の置き換え手段７８の機能に対応するステップを、Ｓ１１１の後に追加することもできる、この追加ステップの処理の具体的態様として、置き換え手段７８の機能について述べた具体的態様が適用可能である。
【００６９】
本発明を適用したプログラムは、コンピュータをコンテンツ処理システム６９の各手段として機能させる。本発明を適用した別のプログラムは、コンテンツ処理システム制御方法１０５の各ステップをコンピュータに実行させる。
【００７０】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【００７１】
６９：コンテンツ処理システム、７０：第１の録音装置、７１：第１のチューナ、７２：ユーザインターフェース、７３：第１の記録予約情報記憶手段、７４：第１の放送コンテンツ記録手段、７６：記憶装置、７８：置き換え手段、８５：第２の録音装置、８６：第２のチューナ、８７：第２の記録予約情報記憶手段、８８：第２の放送コンテンツ記録手段、８９：記憶装置、１０５：コンテンツ処理システム制御方法、１０６：第１の録音装置制御方法、１０７：第２の録音装置制御方法。
【図１】
2010170630.tif 000003
【図２】
2010170630.tif 000004
【図３】
2010170630.tif 000005
【図４】
2010170630.tif 000006
【図５】
2010170630.tif 000007
【図６】
2010170630.tif 000008
【図７】
2010170630.tif 000009
【図８】
2010170630.tif 000010